(57)【要約】【課題】大きくて見やすい日文字を構成する２つの日車を備えた小型で薄型のカレンダ機構付き時計を提供する。【解決手段】本発明のカレンダ機構付き時計は、日付の一の位を表示する第一日車（５１２）と、日付の十の位を表示する第二日車（５２２）と、第一日車（５１２）及び第二日車（５２２）を、それぞれ間欠的に回転させることができるプログラム車（５４０）とを備える。プログラム車（５４０）は、プログラム車歯部（５４１）と、第一日車送り歯（５４２）と、第二日車送り爪（５４３）を先端部に設けた第二日車送り歯（５４４）と、修正歯（５４５）とを含む。第二日車送り歯（５４４）の歯丈は、第一日車送り歯（５４２）の歯丈より大きく、第一日車送り歯（５４２）の歯丈は、前記修正歯（５４５）の歯丈より大きく構成される。【選択図】図１
2011058837.tif 000002
【特許請求の範囲】
【請求項１】
２つの日車によって日付を表示するカレンダ機構付き時計において、
カレンダ機構付き時計を駆動するための駆動機構と、
前記駆動機構の作動により回転して時刻情報を表示する時刻表示車（１２３、１２６）と、
日付のうちの一の位を表示する第一日車（５１２）と、
日付のうちの十の位を表示する第二日車（５２２）と、
前記駆動機構の作動に基づいて、前記第一日車（５１２）、および、前記第二日車（５２２）を、それぞれ間欠的に回転させることができるように構成されたプログラム車（５４０）とを備え、
前記プログラム車（５４０）は、前記駆動機構の作動を受け入れて前記プログラム車（５４０）を送るためのプログラム車歯部（５４１）と、前記第一日車（５１２）を送るように構成された第一日車送り歯（５４２）と、前記第一日車（５１２）を送ることができ、かつ、前記第二日車（５２２）を送るための第二日車送り爪（５４３）を先端部に設けた第二日車送り歯（５４４）と、前記第一日車（５１２）を送ることができず、かつ、前記第二日車（５２２）を送ることができないようになっている修正歯（５４５）とを含んでおり、
前記第一日車送り歯（５４２）と、前記第二日車送り歯（５４４）と、前記修正歯（５４５）は、前記プログラム車（５４０）の外側に配置されており、
前記第二日車送り歯（５４４）の歯丈は、前記第一日車送り歯（５４２）の歯丈より大きく構成され、かつ、前記第一日車送り歯（５４２）の歯丈は、前記修正歯（５４５）の歯丈より大きく構成されており、
前記プログラム車（５４０）を送るためのプログラム車歯部（５４１）が、内歯として前記プログラム車（５４０）に設けられ、
外周部が互いに近接して位置決めされた、前記第一日車（５１２）に設けられた第一日文字のうちの１つと、前記第二日車（５２２）に設けられた第二日文字のうちの１つとによって、日に関する情報を表示することができるように構成される、
ことを特徴とするカレンダ機構付き時計。
【請求項２】
請求項１に記載のカレンダ機構付き時計において、前記プログラム車（５４０）は、前記駆動機構の作動を受け入れるための３１個のプログラム車歯部（５４１）を有し、前記第一日車送り歯（５４２）を設ける数は２５個であり、前記第二日車送り歯（５４４）を設ける数は４個であり、前記修正歯（５４５）を設ける数は２個であるように構成され、前記プログラム車（５４０）は、１つの平面内にあるような形状に構成されることを特徴とするカレンダ機構付き時計。
【請求項３】
請求項１に記載のカレンダ機構付き時計において、
前記第一日車（５１２）において、１０個の数字からなる第一日文字（５１７）が第一日文字表示面（５１２ｆ）に設けられ、前記第一日文字（５１７）は、「０」、「１」、「２」、「３」、「４」、「５」、「６」、「７」、「８」、「９」の順序で円周方向に配置されており、
前記第二日車（５２２）において、８個の数字からなる第二日文字（５２７）が第二日文字表示面（５２２ｆ）に設けられ、前記第二日文字（５２７）は、「０」、「１」、「２」、「３」、「０」、「１」、「２」、「３」の順序で円周方向に配置されている、
ことを特徴とするカレンダ機構付き時計。
【請求項４】
請求項１に記載のカレンダ機構付き時計において、カレンダ修正ができる巻真位置に巻真（１１８）を引き出した状態において、前記巻真（１１８）を回転させることにより前記第一日車（５１２）の表示内容と、前記第二日車（５２２）の表示内容を修正することができるカレンダ修正機構を備え、前記カレンダ修正機構は修正車（５９５）を含み、カレンダ修正ができる巻真位置に巻真（１１８）を引き出した状態において、前記巻真（１１８）の回転に基づいて前記修正車（５９２）が回転することにより、前記修正車（５９２）に設けられた修正ピン（５９６）が、前記プログラム車（５４０）の修正送り溝（５４６）に入り、前記プログラム車（５４０）を回転させることができるように構成されることを特徴とするカレンダ機構付き時計。
【請求項５】
請求項１に記載のカレンダ機構付き時計において、前記プログラム車（５４０）の回転中心の位置は、前記時刻表示車（１２３、１２６）の回転中心の位置を基準として、第一日文字（５１７）および第二日文字（５２７）を文字板の窓部から表示する位置に対して反対側の位置において、前記時刻表示車（１２３、１２６）の回転中心の位置から偏心した位置に配置されることを特徴とするカレンダ機構付き時計。
【発明の詳細な説明】
【技術分野】
【０００１】
本発明は、２つの日車によって日付を表示するカレンダ機構付き時計に関する。さらに詳細には、本発明は、日付のうちの一の位を表示する第一日車と、日付のうちの十の位を表示する第二日車と、第一日車及び第二日車を送るためのプログラム車とを含むカレンダ機構付きの時計に関する。
【背景技術】
【０００２】
（１）用語の説明：
一般に、時計の駆動部分を含む機械体を「ムーブメント」と称する。ムーブメントに文字板、針を取り付けて、時計ケースの中に入れて完成品にした状態を時計の「コンプリート」と称する。時計の基板を構成する地板の両側のうちで、時計ケースのガラスのある方の側、すなわち、文字板のある方の側をムーブメントの「裏側」又は「ガラス側」又は「文字板側」と称する。地板の両側のうちで、時計ケースの裏蓋のある方の側、すなわち、文字板と反対の側をムーブメントの「表側」又は「裏蓋側」と称する。ムーブメントの「表側」に組み込まれる輪列を「表輪列」と称する。ムーブメントの「裏側」に組み込まれる輪列を「裏輪列」と称する。一般に、「１２時側」とは、アナログ式時計において、文字板の１２時に対応する目盛が配置されている方の側を示す。「１２時方向」とは、アナログ式時計において、指針の回転中心から「１２時側」に向かう方向を示す。また、「３時側」とは、アナログ式時計において、文字板の３時に対応する目盛が配置されている方の側を示す。「３時方向」とは、アナログ式時計において、指針の回転中心から「３時側」に向かう方向を示す。また、「６時側」とは、アナログ式時計において、文字板の６時に対応する目盛が配置されている方の側を示す。「６時方向」とは、アナログ式時計において、指針の回転中心から「６時側」に向かう方向を示す。また、「９時側」とは、アナログ式時計において、文字板の９時に対応する目盛が配置されている方の側を示す。「９時方向」とは、アナログ式時計において、指針の回転中心から「９時側」に向かう方向を示す。さらに、「２時方向」、「２時側」のように、その他の文字板の目盛が配置されている方の側を示すことがある。
【０００３】
（２）従来のカレンダ機構付き時計：
以下に、日付のうちの一の位を表示する第一日車と、日付のうちの十の位を表示する第二日車とを含む従来のカレンダ機構付き時計の構成について説明する。
【０００４】
（２・１）従来の第一タイプのカレンダ機構付き時計：
従来の第一タイプのカレンダ機構付き時計は、１０本の歯を有する一の位用星型歯車と連動する一の位用可動部分と、４本の歯を有する十の位用星型歯車と連動する十の位用可動部分とを備え、一の位用星型歯車と十の位用星型歯車は、それぞれ一つの冠状歯車に設けた一の位用内歯車と十の位用内歯車によって直接駆動されるように構成されていた（特許文献１参照）。
【０００５】
（２・２）従来の第二タイプのカレンダ機構付き時計：
従来の第二タイプのカレンダ機構付き時計は、少なくとも部分的に重なり合っている２つの日車、すなわち第一日車と第二日車を備える。第一日車は１の位の日付表示を提供し、第二日車は１０の位の日付表示を提供する。第一日車には、円周方向に「０」、「１」から「９」の数字、すなわち１０個の数字が設けられている。第二日車には、円周方向に２組の「０」から「３」の数字、すなわち８個の数字が設けられている。駆動機構は、筒車の回転により２４時間につき１周する２４時間車と、２４時間車の回転により作動する作動レバーと、他の制御用歯車などを含む。作動レバーの作動によってプログラム車が回転し、第一日車駆動車が第一日車を回転させ、第二日車駆動車が第二日車を回転させる。第一日車の回転は、第一日車ジャンパによって規正される。第二日車の回転は、第二日車ジャンパによって規正される（特許文献２参照）。
【０００６】
（２・３）従来の第三タイプのカレンダ機構付き時計：
従来の第三タイプのカレンダ機構付き時計は、日付の１の位を表示する１の位円盤と、日付の１０の位を表示する１０の位円盤とを備える。１の位ピニオンが１の位円盤に固定されている。１の位ジャンパが１の位ピニオンの角度位置を維持する。１０の位ピニオンが１０の位円盤に固定されている。１０の位ジャンパが１０の位ピニオンの角度位置を維持する。１の位ピニオンは、日にち歯車の歯列の上半分と噛み合う。１の位円盤には、円周方向に「０」、「１」から「９」の数字、すなわち１０個の数字が設けられている。１０の位円盤には、円周方向に２組の「０」から「３」の数字と、２つの「０」、すなわち１０個の数字が設けられている。駆動装置のそれぞれの鉤は日にち歯車の歯列と噛み合い、それによって、日にち歯車の歯を一日に１ピッチだけ前進させる。１０の位ピニオンは中間可動部品によって１ピッチずつ駆動される。中間可動部品は、遊び歯車を介して日にち歯車によって１ピッチずつ駆動される（特許文献３参照）。
【０００７】
（２・４）従来の第四タイプのカレンダ機構付き時計：
従来の第四タイプのカレンダ機構付き時計は、日付のうちの一の位を表示する第一日車および第二日車と、日付のうちの十の位を表示する第三日車と、駆動機構の作動に基づいて、第一日車、第二日車、第三日車を、それぞれ間欠的に回転させることができるプログラム車とを備える。第一日車の第一日文字のうちの１つと、第三日車の第三日文字のうちの１つとによって日を表示し、第二日車の第二日文字のうちの１つと、第三日車の第三日文字のうちの１つとによって日を表示することができる（特許文献４参照）。
【先行技術文献】
【特許文献】
【０００８】
【特許文献１】特許第３３２２６７８号公報
【特許文献２】欧州特許出願公開第１０７０９９６  Ａ１号公報
【特許文献３】特開２０００−１４７１４８号公報
【特許文献４】特開２００７−９３５９１号公報
【発明の概要】
【発明が解決しようとする課題】
【０００９】
従来の第一タイプのカレンダ機構付き時計では、冠状歯車の高さが２段になっていて、下部の歯車で第二日車を送り、上部の歯車で第一日車を送る構造になっている。さらに、プログラム歯車の歯部が下部の歯車の下側にあり、全部で三層構造になっている。このため、部品点数が多くなり、時計が厚くなるという課題があった。
【００１０】
従来の第二タイプのカレンダ機構付き時計では、一の位の日を送る歯車と、十の位の日を送る歯車が二重になっているため、時計が厚くなるという課題があった。このカレンダ機構付き時計では、一の位の日の表示板と、十の位の日の表示板が二重になっているため、さらに時計が厚くなるという課題があった。このカレンダ機構付き時計では、日回し車４８に設けたレバー駆動ピン４６により作動レバー４４を介してプログラム車を１歯回転させている。したがって、駆動機構が複雑であり、駆動機構が占有する面積が大きくなる課題があった。
【００１１】
従来の第三タイプのカレンダ機構付き時計では、１０の位ピニオンは中間可動部品と遊び歯車を介して日にち歯車によって駆動されるので、１０の位円盤を駆動するための駆動機構が複雑であり、駆動機構が占有する面積が大きくなる課題があった。
【００１２】
従来の第四タイプのカレンダ機構付き時計では、日付のうちの一の位を表示する第一日車および第二日車と、日付のうちの十の位を表示する第三日車とを備えるので、部品点数が多くなり、また、時計が厚くなるという課題があった。
【００１３】
さらに、従来のカレンダ機構付き時計は駆動機構が複雑であり、駆動機構の回転負荷が大きいという課題があった。また、従来のカレンダ機構付き時計は、日車の円周方向に１０個の日を示す数字が設けられているので、日を示す数字の寸法を大きくするのが困難であった。
【００１４】
本発明の目的は、カレンダ機構付き時計において、日付の１の位を表示する日車と、日付の１０の位を表示する日車とを含むように構成し、これらの２つの日車を駆動する駆動機構を簡単な構造で、コンパクトな機構となるように構成することにある。また、本発明の他の目的は、大きくて見やすい日文字を有する日車を備えたカレンダ機構付き時計を提供することにある。また、本発明の他の目的は、駆動機構の回転負荷が小さいカレンダ機構付き時計を提供することにある。
【課題を解決するための手段】
【００１５】
本発明は、２つの日車によって日付を表示するカレンダ機構付き時計において、カレンダ機構付き時計を駆動するための駆動機構と、前記駆動機構の作動により回転して時刻情報を表示する時刻表示車と、日付のうちの一の位を表示する第一日車と、日付のうちの十の位を表示する第二日車と、前記駆動機構の作動に基づいて、前記第一日車、および、前記第二日車を、それぞれ間欠的に回転させることができるように構成されたプログラム車とを備えるように構成した。前記プログラム車は、前記駆動機構の作動を受け入れて前記プログラム車を送るためのプログラム車歯部と、前記第一日車を送るように構成された第一日車送り歯と、前記第一日車を送ることができ、かつ、前記第二日車を送るための第二日車送り爪を先端部に設けた第二日車送り歯と、前記第一日車を送ることができず、かつ、前記第二日車を送ることができないようになっている修正歯とを含んでいる。
前記第一日車送り歯と、前記第二日車送り歯と、前記修正歯は、前記プログラム車の外側に配置されている。前記第二日車送り歯の歯丈は、前記第一日車送り歯の歯丈より大きく構成され、かつ、前記第一日車送り歯の歯丈は、前記修正歯の歯丈より大きく構成されている。前記プログラム車を送るためのプログラム車歯部が、内歯として前記プログラム車に設けられている。
【００１６】
本発明のカレンダ機構付き時計では、外周部が互いに近接して位置決めされた、前記第一日車に設けられた第一日文字のうちの１つと、前記第二日車に設けられた第二日文字のうちの１つとによって、日に関する情報を表示することができるように構成されている。この構成により、第一日車、第二日車を駆動する駆動機構が簡単かつコンパクトに構成されたカレンダ機構付き時計を実現することができる。また、この構成により、大きくて見やすい日文字を有する日車を備えたカレンダ機構付き時計を実現することができる。
【００１７】
本発明のカレンダ機構付き時計では、前記プログラム車は、前記駆動機構の作動を受け入れるための３１個のプログラム車歯部を有し、前記第一日車送り歯を設ける数は２５個であり、前記第二日車送り歯を設ける数は４個であり、前記修正歯を設ける数は２個であり、前記プログラム車は、１つの平面内にあるような形状に構成されるのが好ましい。この構成により、部品点数が少なく、かつ、コンパクトに構成されたカレンダ機構付き時計を実現することができる。
【００１８】
本発明のカレンダ機構付き時計では、前記第一日車において、１０個の数字からなる第一日文字が第一日文字表示面に設けられ、前記第一日文字は、「０」、「１」、「２」、「３」、「４」、「５」、「６」、「７」、「８」、「９」の順序で円周方向に配置されており、前記第二日車において、８個の数字からなる第二日文字が第二日文字表示面に設けられ、前記第二日文字は、「０」、「１」、「２」、「３」、「０」、「１」、「２」、「３」の順序で円周方向に配置されるのがよい。この構成により、コンパクトに構成されたカレンダ機構付き時計を実現することができる。また、この構成により、大きくて見やすい日文字を有する日車を備えたカレンダ機構付き時計を実現することができる。
【００１９】
本発明のカレンダ機構付き時計は、カレンダ修正ができる巻真位置に巻真を引き出した状態において、前記巻真を回転させることにより前記第一日車の表示内容と、前記第二日車の表示内容を修正することができるカレンダ修正機構を備え、前記カレンダ修正機構は修正車を含み、カレンダ修正ができる巻真位置に巻真を引き出した状態において、前記巻真の回転に基づいて前記修正車が回転することにより、前記修正車に設けられた修正ピンが、前記プログラム車の修正送り溝に入り、前記プログラム車を回転させることができるように構成されるのがよい。本発明のカレンダ機構付き時計は、コンパクトな構成により、簡便に日付表示を修正させることができる。
【００２０】
本発明のカレンダ機構付き時計において、前記プログラム車の回転中心の位置は、前記時刻表示車の回転中心の位置を基準として、第一日文字および第二日文字を文字板の窓部から表示する位置に対して反対側の位置において、前記時刻表示車の回転中心の位置から偏心した位置に配置されるように構成されるのがよい。この構成により、第一日文字および第二日文字を大きく構成し、見やすいカレンダ機構を実現することができる。
【図面の簡単な説明】
【００２１】
【図１】本発明のカレンダ機構付き時計の第１の実施形態において、ムーブメントを文字板側から見たときの２つの日車とプログラム歯車の配置と相互関係を示す概略平面図である。
【図２】本発明のカレンダ機構付き時計の第１の実施形態において、ムーブメントを裏蓋側から見たときの構造を示す概略平面図である。
【図３】本発明のカレンダ機構付き時計の第１の実施形態において、てんぷ受、輪列受、自動巻輪列受をはずした状態のムーブメントを裏蓋側から見たときの構造を示す概略平面図である。
【図４】本発明のカレンダ機構付き時計の第１の実施形態において、プログラム回し車、プログラム回し中間車の部分を示す部分断面図である。
【図５】本発明のカレンダ機構付き時計の第１の実施形態において、巻真、日の裏車の部分を示す部分断面図である。
【図６】本発明のカレンダ機構付き時計の第１の実施形態において、プログラム車を示す平面図である。
【図７】本発明のカレンダ機構付き時計の実施形態において、２９日から３０日に変わる状態における日送り機構の構造を示す部分平面図（その１）である。
【図８】本発明のカレンダ機構付き時計の実施形態において、２９日から３０日に変わる状態における日送り機構の構造を示す部分平面図（その２）である。
【図９】本発明のカレンダ機構付き時計の実施形態において、２９日から３０日に変わる状態における日送り機構の構造を示す部分平面図（その３）である。
【図１０】本発明のカレンダ機構付き時計の実施形態において、３０日から３１日に変わる状態における日送り機構の構造を示す部分平面図（その１）である。
【図１１】本発明のカレンダ機構付き時計の実施形態において、３０日から３１日に変わる状態における日送り機構の構造を示す部分平面図（その２）である。
【図１２】本発明のカレンダ機構付き時計の実施形態において、３０日から３１日に変わる状態における日送り機構の構造を示す部分平面図（その３）である。
【図１３】本発明のカレンダ機構付き時計の実施形態において、３１日から０１日に変わる状態における日送り機構の構造を示す部分平面図（その１）である。
【図１４】本発明のカレンダ機構付き時計の実施形態において、３１日から０１日に変わる状態における日送り機構の構造を示す部分平面図（その２）である。
【図１５】本発明のカレンダ機構付き時計の実施形態において、３１日から０１日に変わる状態における日送り機構の構造を示す部分平面図（その３）である。
【図１６】本発明のカレンダ機構付き時計の実施形態において、０１日から０２日に変わる状態における日送り機構の構造を示す部分平面図（その１）である。
【図１７】本発明のカレンダ機構付き時計の実施形態において、０１日から０２日に変わる状態における日送り機構の構造を示す部分平面図（その２）である。
【図１８】本発明のカレンダ機構付き時計の実施形態において、０１日から０２日に変わる状態における日送り機構の構造を示す部分平面図（その３）である。
【図１９】本発明のカレンダ機構付き時計の実施形態において、２９日から３０日に修正する状態における日送り機構の構造を示す部分平面図（その１）である。
【図２０】本発明のカレンダ機構付き時計の実施形態において、２９日から３０日に修正する状態における日送り機構の構造を示す部分平面図（その２）である。
【図２１】本発明のカレンダ機構付き時計の実施形態において、２９日から３０日に修正する状態における日送り機構の構造を示す部分平面図（その３）である。
【図２２】本発明のカレンダ機構付き時計の第１の実施形態において、文字板の１２時方向に日窓を配置した構成で、「３１日」を表示している状態のコンプリートを示す平面図である。
【図２３】本発明のカレンダ機構付き時計の第１の実施形態において、第一日車を示す平面図である。
【図２４】本発明のカレンダ機構付き時計の第１の実施形態において、第二日車を示す平面図である。
【図２５】本発明のカレンダ機構付き時計の第１の実施形態において、駆動機構、表輪列、カレンダ機構などを示すブロック図である。
【図２６】本発明のカレンダ機構付き時計の第２の実施形態において、ムーブメントを裏蓋側から見たときの構造を示す概略平面図である。
【発明を実施するための形態】
【００２２】
以下に、本発明のカレンダ機構付き時計の実施の形態を図面に基づいて説明する。
（１）本発明のカレンダ機構付き時計の第１の実施の形態の構造：
最初に、本発明のカレンダ機構付き時計の第１の実施の形態について説明する。本発明のカレンダ機構付き時計の第１の実施の形態は、カレンダ機構付き時計を自動巻機構付きの機械式時計で構成した実施形態である。
【００２３】
（１・１）ムーブメントの表側の構造：
最初に、本発明の表示修正機構付き時計の第１の実施の形態について説明する。この第１の実施の形態は、カレンダ修正機構付き時計に関するものである。図１〜図５を参照すると、本発明のカレンダ修正機構付き時計はムーブメント１００を備える。「ムーブメント」とは、駆動部分を含む時計の機械体を示す。また、「コンプリート」とは、時計のムーブメントに文字板、指針（時針、分針、秒針など）、りゅうずなどを取り付けて時計ケース（時計外装）に収容した時計の完成体を示す。ムーブメント１００は、時計の基板を構成する地板１０２を含む。ムーブメント１００において、「表側」とは、地板１０２の両面のうちで、時計ケースのガラスから遠い方の側、すなわち、「裏蓋側」を示す。ムーブメント１００において、「裏側」とは、地板１０２の両面のうちで、時計ケースのガラスに近い方の側、すなわち、「文字板側」を示す。ムーブメント１００は、一番受１０４と、二番受１０５と、アンクル受１０６と、てんぷ受１０７とを備える。文字板１１０が地板１０２のガラス側に配置される。文字板１１０は文字板受リング１０９を介して地板１０２に取付けられる。巻真１１８が地板１０２に対して回転可能であって、かつ、軸線方向に移動可能なように、地板１０２に組み込まれる。
【００２４】
ムーブメント１００の表側には、表輪列と、脱進機構と、調速機構と、自動巻機構と、手巻機構と、切換装置とが配置される。或いは、切換装置はムーブメント１００の裏側に配置してもよい。或いは、ムーブメント１００の表側に手巻機構を配置し、自動巻機構を省略してもよい。ムーブメント１００の裏側には、裏輪列と、日表示機構と、日修正機構とが配置される。必要ならば、ムーブメント１００の裏側には、曜表示機構、曜修正機構、２４時表示機構、月表示機構、月齢表示機構、ぜんまい巻き状態表示機構などのうちのいずれかなどを配置してもよい。表輪列は地板１０２、一番受１０４、二番受１０５に対して回転可能に支持される。裏輪列は地板１０２に対して回転可能に支持される。
【００２５】
（１・２）表輪列の構成：
次に、表輪列の構成について説明する。図２、図３、図５を参照すると、香箱車１２０が一番受１０４及び地板１０２に対して回転可能に支持される。香箱車１２０は、ぜんまい（図示せず）を有する。ぜんまいは機械式時計の動力源を構成する。ぜんまいが巻き戻される（解放される）ことにより、香箱車１２０の香箱歯車は１つの方向に回転し、表輪列及び裏輪列の回転を介して、指針（時針、分針、秒針など）により時刻情報を表示する。ぜんまいの動力により回転する香箱歯車の回転は、調速装置及び脱進装置によって制御される。調速装置はてんぷ１４２を含む。脱進装置はアンクル１４４及びがんぎ車１４６を含む。てんぷ１４２はてんぷ受１０７及び地板１０２に対して回転可能に支持される。アンクル１４４はアンクル受１０６及び地板１０２に対して回転可能に支持される。がんぎ車１４６は一番受１０４及び地板１０２に対して回転可能に支持される。香箱歯車の回転により、二番車１２２（図４参照）が１時間に１回転するように構成される。二番車１２２は二番受１０５及び地板１０２に対して回転可能に支持される。二番車１２２の回転により、三番車１２４が回転するように構成される。
【００２６】
三番車１２４は一番受１０４及び地板１０２に対して回転可能に支持される。三番車１２４の回転により、四番車１２６が１分間に１回転するように構成される。四番車１２６は一番受１０４及び地板１０２に対して回転可能に支持される。四番車１２６の回転速度は、がんぎ車１４６により制御されるように構成される。がんぎ車１４６の回転速度は、アンクル１４４により制御されるように構成される。アンクル１４４の揺動運動は、てんぷ１４２により制御されるように構成される。てんぷ規正レバー１４０が、てんぷ１４２の作動を規正させるために設けられる。すなわち、巻真１１８を２段目にした状態では、てんぷ規正レバー１４０は、てんぷ１４２の天輪１４２ｃに接触し、天輪１４２ｃの回転を停止させることができるように構成される。表輪列は、二番車１２２、三番車１２４、四番車１２６を含む。二番車１２２の筒かな１２３に取付けられた分針３５２が「分」を表示するように構成される。四番車１２６に取付けられた秒針３５８が「秒」を表示するように構成される。四番車１２６の回転中心と二番車１２２の回転中心とは同じ位置にあるように構成される。
【００２７】
角穴車１３０の角穴部が、香箱車１２０の香箱真の上方部（一番受１０４がある方の側）に設けられた角軸部に組み込まれる。角穴止めねじ１３２により、角穴車１３０は香箱真１２０ｃと一体になって回転するように支持される。角穴車１３０は香箱車１２０の回転する方向と同一の方向にのみ回転することができる。角穴車の回転規正部材を構成するこはぜ１３１が、角穴車１３０の回転を１つの方向のみに規正するために一番受１０４に設けられる。こはぜ１３１により、角穴車１３０が香箱車１２０の回転する方向と反対の方向に回転するのを阻止することができる。手巻機構は、つづみ車２７２と、きち車１３３と、丸穴車１３４と、丸穴伝え車（図示せず）とを含む。丸穴車１３４は一番受１０４の裏面に対して回転可能に支持される。丸穴伝え車は一番受１０４の表面に対して回転可能に支持される。丸穴車１３４と、丸穴伝え車は一体に回転するように固定される。揺動丸穴車１３６は一番受下座１２９に対して回転可能なように組み込まれる。丸穴伝え車の回転により、揺動丸穴車１３５が回転するように構成される。一番受下座１２９は、丸穴車１３４の中心軸を回転中心として揺動回転するように構成される。つづみ車２７２の１つの方向の回転により、きち車１３３が回転するように構成される。きち車１３３の回転により、丸穴車１３４と揺動丸穴車１３５が一体に回転するように構成される。丸穴伝え車の回転により揺動丸穴車１３５は揺動し、揺動丸穴車１３５の回転により、角穴車１３０が時計回り方向に回転するように構成される。角穴車１３０が回転することにより、ぜんまいを巻くことができるように構成される。
【００２８】
（１・３）自動巻機構の構成：
次に、自動巻機構の構成について説明する。図２において、ぜんまいを巻き上げるための自動巻機構がムーブメント１００の表側に設けられる。自動巻機構は、回転錘２１０と、一番伝え車２１２と、つめレバー２１４と、二番伝え車２１６とを含む。回転錘２１０はボールベアリング２１０ｂを介して一番受１０４に回転可能に組み込まれる。一番伝え車２１２は一番受１０４及び地板１０２に対して回転可能に支持される。一番伝え車２１２の歯車部は回転錘２１０の回転錘かな２１０ｃに噛み合うように構成される。つめレバー２１４の基部の穴（図示せず）が、一番伝え車２１２の偏心カム部分（図示せず）に回転可能に組み込まれる。つめレバー２１４は２つのつめ部分、すなわち引きつめ２１４ｆと、押しつめ２１４ｇとを有する。二番伝え車２１６は一番受１０４に対して回転可能に支持される。つめレバー２１４の引きつめ２１４ｆと、押しつめ２１４ｇは、二番伝え車２１６のラチェット歯（図示せず）に噛合うように構成される。回転錘２１０が回転すると、一番伝え車２１２が回転して、つめレバー２１４を作動させるように構成される。つめレバー２１４の引きつめ２１４ｆは、二番伝え車２１６を１つの方向（図２において反時計回り方向）にのみ回転させることができるように構成される。つめレバー２１４の押しつめ２１４ｇは、二番伝え車２１６を１つの方向（図２において反時計回り方向）にのみ回転させることができるように構成される。したがって、回転錘２１０が回転すると、つめレバー２１４が作動し、二番伝え車２１６の回転に基づいて、角穴車１３０が時計回り方向に回転するように構成される。その結果、回転錘２１０が回転すると、自動巻機構の作動により、ぜんまいを巻きあげることができる。
【００２９】
（１・４）裏輪列の構成：
次に、裏輪列の構成について説明する。図５を参照すると、裏輪列は、日の裏車２３０と、筒車２３２とを含む。日の裏車２３０は地板１０２に対して回転可能に支持される。二番車１２２の回転により、日の裏車２３０が回転するように構成される。日の裏車２３０の回転により、筒車２３２が１２時間で１回転するように構成される。筒車２３２に取付けられた時針３５６が「時」を表示する。筒車２３２の回転中心と二番車１２２の回転中心とは同じ位置にあるように構成される。日の裏車２３０の回転中心は、巻真１１８の中心軸線２０５の上に配置されるのが好ましい。
【００３０】
（１・５）切換機構の構成：
次に、切換機構の構成について説明する。本発明の時計では、時計の時刻を合わせるために、切換機構と、時刻合わせ機構とが設けられる。図３および図５を参照すると、切換機構は、おしどり２３６と、かんぬき２３７と、かんぬき押え２３８とを含むように構成される。おしどり２３６と、かんぬき２３７は、地板１０２に対して作動可能なように支持される。かんぬき押え２３８は地板１０２に対して固定される。時刻合わせ機構は、巻真１１８と、つづみ車２７２とを含む。巻真１１８は、先端部から外方部に向かって順番に形成された、先端軸部１１８ａと、角軸部１１８ｂと、きち車案内部１１８ｃと、修正伝達部１１８ｄと、第一カレンダ修正車案内部１１８ｅと、おしどり内壁部１１８ｆと、おしどり受け入れ部１１８ｇと、おしどり外壁部１１８ｈとを含む。巻真１１８の修正伝達部１１８ｄのムーブメント１００の内側方向の部分には、内側斜面１１８ｍが設けられるのが好ましい。巻真１１８の修正伝達部１１８ｄのムーブメント１００の外側方向の部分には、外側斜面１１８ｎが設けられるのが好ましい。巻真１１８の先端軸部１１８ａは地板１０２の巻真先端穴に対して回転可能に支持される。
【００３１】
つづみ車２７２の角穴部は巻真１１８の角軸部１１８ｂに組み込まれる。おしどり２３６の巻真接触部は、巻真１１８のおしどり内壁部１１８ｅと、おしどり外壁部１１８ｇとの間に位置する。巻真１１８の中心軸線にそう方向における巻真１１８の位置は、切換装置（おしどり、かんぬき押えなど）により定められる。巻真１１８の中心軸線にそう方向におけるつづみ車２７２の位置は、切換装置（おしどり、かんぬき、かんぬき押えなど）により定められる。つづみ車２７２は、ムーブメント１００の中心部に近い方に位置する甲歯２７２ａと、ムーブメント１００の外形部に近い方に位置する乙歯２７２ｂとを備える。つづみ車２７２の乙歯２７２ｂはラチェット歯車で構成される。きち車１３３の中心穴部は、巻真１１８のきち車案内部１１８ｃに対して回転可能なように組み込まれる。きち車１３３は、つづみ車２７２の乙歯２７２ｂと噛合うことが出来るように構成されたきち小歯車１３３ａと、丸穴車１３４の歯車部と噛合うことが出来るように構成されたきち大歯車１３３ｃとを備える。きち小歯車１３３ａはラチェット歯車で構成される。てんぷ規正レバー１４０の作動は、おしどり２３６の回転により制御される。
【００３２】
巻真１１８を０段目にした状態、および、巻真１１８を１段目にした状態では、つづみ車２７２の甲歯２７２ａは日の裏車２３０の歯車部と噛合わないように構成される。巻真１１８を０段目にした状態では、つづみ車２７２の乙歯２７２ｂはきち車１３３の小歯車１３３аと噛合うように構成される。巻真１１８を２段目にした状態では、つづみ車２７２の甲歯２７２ａは日の裏車２３０の歯車部と噛合うように構成される。巻真１１８を２段目にした状態では、つづみ車２７２の乙歯２７２ｂはきち車１３３の小歯車１３３аと噛合わないように構成される。巻真１１８を０段目にした状態で、巻真１１８を１つの方向に回転させると、巻真１１８とともにつづみ車２７２が回転し、きち車１３３、丸穴車１３４、丸穴伝え車１３５の回転を介して、角穴車１３０が回転して、ぜんまいを巻き上げることができるように構成される。巻真１１８を０段目にした状態で、巻真１１８を他の方向に回転させると、巻真１１８とともにつづみ車２７２が回転するが、きち車１３３は回転しないように構成される。
【００３３】
（１・６）日車送り機構の構成：
（１・６・１）日車送り機構の全体構成：
以下に、日車送り機構の構成について説明する。図１、図４および図５を参照すると、日送り機構は、プログラム回し中間車５３０と、プログラム回し車５１０と、プログラム送り爪５１１と、プログラム車５４０と、プログラム車ジャンパ５３４とを含む。プログラム回し中間車５３０は、地板１０２に設けられたプログラム回し中間車軸１０２Ｊに対して回転可能に組み込まれる。プログラム回し中間車５３０は、大きい外径の歯をもつ歯車部と、小さい外径の歯をもつかな部とを含む。
プログラム車５４０の回転中心の位置は、時刻表示車を構成する二番車１２２の筒かな１２３および四番車１２６の回転中心の位置を基準として、第一日文字５１７および第二日文字５２７を文字板１１０の窓部から表示する位置に対して反対側の位置において、前記時刻表示車１２３、１２６の回転中心の位置から偏心した位置に配置されるのがよい。
【００３４】
プログラム回し車５１０は、地板１０２に設けられたプログラム回し車軸１０２Ｋに対して回転可能に組み込まれる。プログラム送り爪５１１は、プログラム回し車５１０に対して、ばね部を介して一体に形成されるのがよい。プログラム車押え５３８が、地板１０２と文字板１１０との間に配置される。プログラム車押え５３８は、筒車２３２と、プログラム回し中間車５３０と、プログラム回し車５１０と、プログラム車５４０とを地板１０２に対して回転可能なように支持する。プログラム回し中間車５３０と、プログラム回し車５１０と、プログラム車５４０は、地板１０２とプログラム車押え５３８との間に配置される。
【００３５】
筒車２３２の歯車部は、プログラム回し中間車５３０の歯車部と噛み合う。プログラム回し中間車５３０のかな部は、プログラム回し車５１０の歯車部と噛み合う。筒車２３２が回転することにより、プログラム回し中間車５３０の回転を介してプログラム回し車５１０が２４時間で１回転するように構成される。プログラム送り爪５１１は、プログラム回し車５１０の回転に基づいて一体に回転するように構成される。プログラム回し車５１０の回転中心は、文字板の「５時方向」と「７時方向」との間に配置されるのが好ましい。この構成により、カレンダ機構付き時計において、第一日車５１２と第二日車５２２を駆動する駆動機構が占有する面積を小さくすることができる。
【００３６】
（１・６・２）プログラム車の構成：
図１および図６を参照すると、プログラム車５４０は、プログラム送り爪５１１の回転によって送られるように構成されたプログラム車歯部５４１と、第一日車５１２を送るように構成された第一日車送り歯５４２と、第一日車５１２を送ることができ、かつ、第二日車５２２を送るための第二日車送り爪５４３を先端部に設けた第二日車送り歯５４４と、第一日車５１２を送ることができず、かつ、第二日車５２２を送ることができないようになっている修正歯５４５とを含む。第一日車送り歯５４２と、第二日車送り歯５４４と、修正歯５４５は、プログラム車５４０の外側に配置されている。第二日車送り歯５４４の歯丈は、第一日車送り歯５４２の歯丈より大きい。第一日車送り歯５４２の歯丈は、修正歯５４５の歯丈より大きい。第一日車送り歯５４２を設ける数は２５個である。第二日車送り歯５４４を設ける数は４個である。修正歯５４５を設ける数は２個である。したがって、プログラム車５４０に設けられている外歯（外側に配置されている歯）の総数は３１個である。プログラム車５４０は、１つの平面内にあるような形状に構成されるのが好ましい。
【００３７】
修正送り溝５４６が、隣接した歯の間にそれぞれ設けられる。すなわち、修正送り溝５４６が、修正歯５４５と、これに隣接した修正歯５４５との間、修正歯５４５と、これに隣接した第一日車送り歯５４２との間、第一日車送り歯５４２と、これに隣接した第一日車送り歯５４２との間、第一日車送り歯５４２と、これに隣接した第二日車送り歯５４４との間にそれぞれ設けられる。修正送り溝５４６を設ける数は３１個である。
【００３８】
プログラム車５４０は、外歯で構成された３１個の歯を有する。プログラム車５４０は、時計周り方向に見て、２個の修正歯５４５と、次の５個の第一日車送り歯５４２と、次の１個の第二日車送り歯５４４と、次の９個の第一日車送り歯５４２と、次の１個の第二日車送り歯５４４と、次の８個の第一日車送り歯５４２と、次の１個の第二日車送り歯５４４と、次の１個の第一日車送り歯５４２と、次の１個の第二日車送り歯５４４と、次の２個の第一日車送り歯５４２とを含む。隣接する歯は、等しい角度間隔となるように形成される。隣接する歯の角度間隔は、３６０／３１度である。修正歯５４５と、これに隣接した修正歯５４５との間の角度間隔は、３６０／３１度である。修正歯５４５と、これに隣接した第一日車送り歯５４２との間の角度間隔は、３６０／３１度である。第一日車送り歯５４２と、これに隣接した第一日車送り歯５４２との間の角度間隔は、３６０／３１度である。第一日車送り歯５４２と、これに隣接した第二日車送り歯５４４との間の角度間隔は、３６０／３１度である。
【００３９】
プログラム車５４０は、等しい角度間隔となるように形成された３１個のプログラム車歯部５４１を有する。プログラム車５４０を送るためのプログラム車歯部５４１は、内歯（内側に配置されている歯）としてプログラム車５４０に設けられる。プログラム車歯部５４１の角度間隔は、３６０／３１度である。
【００４０】
プログラム車５４０の回転方向の位置を規正するためのプログラム車ジャンパ５３４が地板１０２に組み込まれる。プログラム車ジャンパ５３４は、プログラム車ジャンパばね５３５と、プログラム車歯部５４１を規制するための規正部とを含む。プログラム車ジャンパ５３４の規正部は、プログラム車５４０のプログラム車歯部５４１のうちの２個を規正するように構成される。プログラム車ジャンパばね５３５の先端部の付近は、地板１０２に設けられたプログラム車ジャンパピン１０２Ｐによって位置決めされる。
【００４１】
（１・６・３）第一日車および第二日車の構成：
図１および図４を参照すると、第一日車５１２は、地板１０２に設けられた第一日車軸１０２Ｆに対して回転可能に組み込まれる。日車ジャンパ５０４が地板１０２に組み込まれる。日車ジャンパ５０４は、第一日車５１２の回転方向の位置を規正するための第一日車ジャンパ５１４と、第二日車５２２の回転方向の位置を規正するための第二日車ジャンパ５２４とを含む。本実施形態において、第一日車ジャンパ５１４と第二日車ジャンパ５２４とを一体に形成する構造を説明するけれども、第一日車ジャンパ５１４と、第二日車ジャンパ５２４は別個の部品として構成することもできる。第一日車５１２の回転方向の位置を規正するための第一日車ジャンパ５１４は、ばね部と、ばね部の先端に設けられた規正部とを含む。第一日車ジャンパ５１４の規正部は、第一日車５１２の第一日車歯５１６のうちの２個を規正するように構成される。
【００４２】
第二日車５２２は、地板１０２に設けられた第二日車軸１０２Ｇに対して回転可能に組み込まれる。第二日車ジャンパ５２４は、ばね部と、ばね部の先端に設けられた規正部とを含む。第二日車ジャンパ５２４の規正部は、第二日車５２２の歯部５２６のうちの２個を規正するように構成される。
【００４３】
図１を参照すると、第一日車５１２の回転中心は、文字板の「１時方向」と「２時方向」との間に配置されるのが好ましい。第二日車５２２の回転中心は、文字板の「１０時方向」と「１１時方向」との間に配置されるのが好ましい。この構成により、カレンダ表示が大きくて見やすいカレンダ機構付き時計を実現することができる。
【００４４】
第一日車５１２の外周部と、第二日車５２２の外周部は、互いに近接して位置決めされるのがよい。第一日車５１２に設けられた第一日文字のうちの１つと、第二日車５２２に設けられた第二日文字のうちの１つとによって、「０１」から「３１」などの日に関する情報を、文字板１１０の日窓から表示することができるように構成される。
【００４５】
図２３を参照すると、第一日車５１２は、第一日板５１３と、等しい角度間隔となるように形成された１０個の第一日車歯５１６を含む第一日星５１４と有する。第一日文字表示面５１２ｆが、第一日板５１３の上面に設けられる。１０個の数字からなる第一日文字５１７が第一日文字表示面５１２ｆに設けられる。第一日文字５１７は、「０」、「１」、「２」、「３」、「４」、「５」、「６」、「７」、「８」、「９」の順序で円周方向に配置される。第一日文字５１７は、日付のうちの一の位を表示するために設けられる。第一日文字５１７を構成する１０個の数字は、等しい角度間隔、すなわち（３６０／１０）度の間隔で第一日文字表示面５１２ｆに配置される。
【００４６】
図２４を参照すると、第二日車５２２は、第二日板５２３と、等しい角度間隔となるように形成された８個の第二日車歯５２６を含む第二日星５２４と有する。第二日文字表示面５２２ｆが、第二日板５２３の上面に設けられる。８個の数字からなる第二日文字５２７が第二日文字表示面５２２ｆに設けられる。第二日文字５２７は、「０」、「１」、「２」、「３」、「０」、「１」、「２」、「３」の順序で円周方向に配置される。第二日文字５２７は、日付のうちの十の位を表示するために設けられる。第二日文字５２７を構成する８個の数字は、等しい角度間隔、すなわち（３６０／８）度の間隔で第二日文字表示面５２２ｆに配置される。
【００４７】
それぞれの日板は黄銅、アルミニウムなどの金属や、ポリアセタールなどのプラスチックによって形成することができる。それぞれの日文字は印刷などによって形成することができる。第一日車５１２の外径は、第二日車５２２の外径と等しい寸法に形成されるのがよい。第一日文字５１７の個々の文字の大きさと、第二日文字５２７の個々の文字の大きさは等しい寸法に形成されるのがよい。この構成により、大きくて見やすいカレンダ機構を実現することができる。
【００４８】
図２２を参照すると、本発明のカレンダ機構付き時計のコンプリート３００を示す。コンプリート３００は、時計ケース３０２と、りゅうず３０４と、文字板１１０とを含む。この図２２は、本発明のカレンダ機構付き時計において、文字板１１０の１２時方向の位置に日窓を設け、この日窓から第一日車５１２が「３」を表示し、第二日車５２２が「１」を表示して、日付が「３１日」であることを表示している状態を示す。図２２に示す状態では、第一日文字５１７の「１」が文字板１１０に設けられた第一日窓１１０ｆに配置され、第二日文字５２７の「３」が文字板１１０に設けられた第二日窓１１０ｇに配置されている。筒車２３２に取付けられた時針３５６が「時」を表示している。二番車１２２の筒かな１２３に取付けられた分針３５２が「分」を表示している。四番車１２６に取付けられた秒針３５８が「秒」を表示している。或いは、変形例として、第二日車５２２において、「０」の数字を設ける代わりに、その位置を「白紙」の部分（すなわち、何の数字も設けられていない無地の部分）とする構成も可能である。この構成により、カレンダ表示が大きくて見やすいカレンダ機構付き時計を実現することができる。
【００４９】
図１および図４を参照すると、筒車２３２が回転することにより、プログラム回し中間車５３０の回転を介してプログラム回し車５１０が回転して、プログラム送り爪５１１は、１日に１回だけ、プログラム車５４０を時計回り方向に１歯分だけ回転させる。プログラム車５４０が回転することによって、第一日車送り歯５４２、および、第二日車送り歯５４４は、第一日車５１２を反時計回り方向に１歯分だけ回転させて、第一日窓１１０ｆに配置される第一日車５１２の第一日文字５１７を次の数字に変えることができる。第一日車５１２の１歯分の回転は、第一日車ジャンパ５１４によって規正される。
【００５０】
プログラム車５４０が回転することによって、原則として１０日に１回と、月末において、第二日車送り爪５４３は第二日車５２２を反時計回り方向に１歯分だけ回転させて、第二日窓１１０ｇの下に配置される第二日文字５２７を次の数字に変えることができる。第二日車５２２の１歯分の回転は、第二日車ジャンパ５２４によって規正される。上記のような日送りの作動は、時針３５６と分針３５２が１２時０分を表示するときに完了するように構成するのがよい。
【００５１】
（１・６・４）第一日車および第二日車の具体的な設計例：
本発明のカレンダ機構付き時計の実施形態において、第一日車および第二日車の具体的な設計例を以下に記載する。
第一日車の歯の外径・・・直径５．７３ｍｍ：
第二日車の歯の外径・・・直径４．２６ｍｍ：
プログラム車：
第一日車送り爪の外径・・・半径７．４ｍｍ：
第二日車送り爪の外径・・・半径７．７ｍｍ：
修正歯・・・・・・・・・・半径６．７ｍｍ：
プログラム車と第一日車との間の中心距離・・・９．５７ｍｍ：
プログラム車と第二日車との間の中心距離・・・９．５７ｍｍ：
【００５２】
（１・７）通常運針の作用：
次に、本発明のカレンダ機構付き時計の通常運針の作動について説明する。図３、図４、図５および図２５を参照すると、香箱車１２０に組み込まれたぜんまい（図示せず）は時計の動力源を構成する。ぜんまいが巻き戻される（解放される）ことにより、香箱車１２０の香箱歯車は１つの方向に回転し、表輪列及び裏輪列の回転を介して、指針（時針、分針、秒針など）により時刻情報を表示する。ぜんまいの動力により回転する香箱歯車の回転は、調速装置及び脱進装置によって制御される。調速装置はてんぷ１４２を含む。脱進装置はアンクル１４４及びがんぎ車１４６を含む。香箱歯車の回転により、二番車１２２が回転する。二番車１２２の回転により、三番車１２４が回転する。三番車１２４の回転により、四番車１２６が１分間に１回転する。二番車１２２の筒かな１２３に取付けられた分針３５２が「分」を表示する。四番車１２６に取付けられた秒針３５８が「秒」を表示する。四番車１２６の回転中心と二番車１２２の回転中心とは同じ位置にあるように構成される。二番車１２２の回転により、日の裏車２３０が回転する。日の裏車２３０の回転により、筒車２３２は１２時間に１回転するように構成される。筒車２３２に取付けられた時針３５６が「時」を表示する。
【００５３】
（１・８）針合わせの作動：
次に、本発明のカレンダ機構付き時計において、針合わせを行う場合の作用について説明する。図１および図５を参照すると、図に示す状態から巻真１１８を２段目に引き出すと、つづみ車２７２の甲歯２７２ａは日の裏車２３０の歯車部と噛合う。この状態で、巻真１１８の回転に基づいて、つづみ車２７２は回転する。巻真１１８を２段目にした状態では、巻真１１８を２段目に引き出した状態で、巻真１１８を回転させると、つづみ車２７２の回転に基づいて、日の裏車２３０が回転する。巻真１１８が２段目にあるときに、巻真１１８を回転させることにより、日の裏車２３０の回転を介して筒車２３２を回転させて、筒車２３２に取付けられた時針３５６が表示する「時」の表示内容を修正し、同時に、筒かな１２３を回転させることにより、筒かな１２３に取付けられた分針３５２が表示する「分」の表示内容を修正することができる。
【００５４】
（１・９）カレンダ送りの作動：
次に、本発明のカレンダ機構付き時計のカレンダ送りの作用について説明する。
【００５５】
（１・９・１）「２９日」から「３０日」に変わる作動：
図７を参照すると、図７に示す状態は、文字板１１０の１２時方向の位置に第一日窓１１０ｆと第二日窓１１０ｇとの間の中心位置を配置し、第二日窓１１０ｇから第二日車５２２が「２」を表示し、第一日車５１２が「９」を表示して、日付が「２９日」であることを表示している状態である。
【００５６】
図１、図７および図２５を参照すると、筒車２３２が時計周り方向に回転することにより、プログラム回し中間車５３０は反時計周り方向に回転し、プログラム回し車５１０は時計周り方向に２４時間で１回転する。プログラム送り爪５１１は、プログラム回し車５１０の回転に基づいて一体に回転する。プログラム車５４０のプログラム車歯部５４１は、プログラム送り爪５１１の回転によって、時計周り方向に１ピッチだけ送られる。
【００５７】
図８および図９を参照すると、プログラム車５４０の第一日車送り歯５４２は第一日車５１２を反時計周り方向に１歯分だけ回転させる。プログラム車５４０が１ピッチ回転することによって、第一日窓１１０ｆに配置される第一日車５１２の第一日文字５１７は「９」から「０」に変わる。第一日車５１２の１歯分の回転は、第一日車ジャンパ５１４によって規正される。同時に、プログラム車５４０が１ピッチ回転することによって、プログラム車５４０の第二日車送り歯５４４の第二日車送り爪５４３は、第二日車５２２を反時計周り方向に１歯分だけ回転させる。プログラム車５４０が１ピッチ回転することによって、第二日窓１１０ｇに配置される第二日車５２２の第二日文字５２７は「２」から「３」に変わる。第二日車５２２の１歯分の回転は、第二日車ジャンパ５２４によって規正される。上記のような日送りの作動によって、第一日車５１２と第二日車５２２が表示する日付を「２９」から「３０」に変更することができる。上記のような日送りの作動は、時針３５６と分針３５２が１２時０分を表示するときに完了するのが好ましい。
【００５８】
（１・９・２）「３０日」から「３１日」に変わる作動：
図１０を参照すると、図１０に示す状態は、文字板１１０の１２時方向の位置に第一日窓１１０ｆと第二日窓１１０ｇとの間の中心位置を配置し、第二日窓１１０ｇから第二日車５２２が「３」を表示し、第一日車５１２が「０」を表示して、日付が「３０日」であることを表示している状態である。
【００５９】
図１０および図２５を参照すると、筒車２３２が時計周り方向に回転することにより、プログラム回し中間車５３０は反時計周り方向に回転し、プログラム回し車５１０は時計周り方向に２４時間で１回転する。プログラム送り爪５１１は、プログラム回し車５１０の回転に基づいて一体に回転する。プログラム車５４０のプログラム車歯部５４１は、プログラム送り爪５１１の回転によって、時計周り方向に１ピッチだけ送られる。
【００６０】
図１１および図１２を参照すると、プログラム車５４０の第一日車送り歯５４２は、第一日車５１２を反時計周り方向に１歯分だけ回転させる。プログラム車５４０が１ピッチ回転することによって、第一日窓１１０ｆに配置される第一日車５１２の第一日文字５１７は「０」から「１」に変わる。第一日車５１２の１歯分の回転は、第一日車ジャンパ５１４によって規正される。このとき、プログラム車５４０が１ピッチ回転しても、第二日車５２２が回転することはない。すなわち、第二日車送り爪５４３は第二日星５２４から離れた位置にあり、第一日車送り歯５４２も第二日星５２４から離れた位置にあるので、第二日車５２２は回転することはない。この状態で、第一日車送り歯５４２は第二日星５２４に最も近接して回転する。したがって、プログラム車５４０が１ピッチ回転することによって、第二日窓１１０ｇに配置される第二日車５２２の第二日文字５２７は「３」のままである。上記のような日送りの作動によって、第一日車５１２と第二日車５２２が表示する日付を「３０」から「３１」に変更することができる。上記のような日送りの作動は、時針３５６と分針３５２が１２時０分を表示するときに完了するのが好ましい。
【００６１】
（１・９・３）「３１日」から「０１日」に変わる作動：
図１３を参照すると、図１３に示す状態は、文字板１１０の１２時方向の位置に第一日窓１１０ｆと第二日窓１１０ｇとの間の中心位置を配置し、第二日窓１１０ｇから第二日車５２２が「３」を表示し、第一日車５１２が「１」を表示して、日付が「３１日」であることを表示している状態である。
【００６２】
図１３および図２５を参照すると、筒車２３２が時計周り方向に回転することにより、プログラム回し中間車５３０は反時計周り方向に回転し、プログラム回し車５１０は時計周り方向に２４時間で１回転する。プログラム送り爪５１１は、プログラム回し車５１０の回転に基づいて一体に回転する。プログラム車５４０のプログラム車歯部５４１は、プログラム送り爪５１１の回転によって、時計周り方向に１ピッチだけ送られる。
【００６３】
図１４および図１５を参照すると、プログラム車５４０が回転しても第一日車５１２は回転することはない。すなわち、第二日車送り爪５４３は第一日星５１４から離れた位置にあり、第一日車送り歯５４２も第一日星５１４から離れた位置にあるので、第二日車５２２は回転することはない。この状態で、修正用歯部５４５は第一日星５１４に最も近接して回転する。したがって、プログラム車５４０が１ピッチ回転することによって、第一日窓１１０ｆに配置される第一日車５１２の第一日文字５１７は「１」のままである。同時に、プログラム車５４０が１ピッチ回転することによって、プログラム車５４０の第二日車送り歯５４４の第二日車送り爪５４３は、第二日車５２２を反時計周り方向に１歯分だけ回転させる。プログラム車５４０が１ピッチ回転することによって、第二日窓１１０ｇに配置される第二日車５２２の第二日文字５２７は「３」から「０」に変わる。第二日車５２２の１歯分の回転は、第二日車ジャンパ５２４によって規正される。上記のような日送りの作動によって、第一日車５１２と第二日車５２２が表示する日付を「３１」から「０１」に変更することができる。上記のような日送りの作動は、時針３５６と分針３５２が１２時０分を表示するときに完了するのが好ましい。
【００６４】
（１・９・４）「０１日」から「０２日」に変わる作動：
図１６を参照すると、図１６に示す状態は、文字板１１０の１２時方向の位置に第一日窓１１０ｆと第二日窓１１０ｇとの間の中心位置を配置し、第二日窓１１０ｇから第二日車５２２が「０」を表示し、第一日車５１２が「１」を表示して、日付が「０１日」であることを表示している状態である。
【００６５】
図１６および図２５を参照すると、筒車２３２が時計周り方向に回転することにより、プログラム回し中間車５３０は反時計周り方向に回転し、プログラム回し車５１０は時計周り方向に２４時間で１回転する。プログラム送り爪５１１は、プログラム回し車５１０の回転に基づいて一体に回転する。プログラム車５４０のプログラム車歯部５４１は、プログラム送り爪５１１の回転によって、時計周り方向に１ピッチだけ送られる。
【００６６】
図１７および図１８を参照すると、プログラム車５４０の第一日車送り歯５４２は、第一日車５１２を反時計周り方向に１歯分だけ回転させる。プログラム車５４０が１ピッチ回転することによって、第一日窓１１０ｆに配置される第一日車５１２の第一日文字５１７は「１」から「２」に変わる。第一日車５１２の１歯分の回転は、第一日車ジャンパ５１４によって規正される。このとき、プログラム車５４０が１ピッチ回転しても、第二日車５２２が回転することはない。すなわち、第二日車送り爪５４３は第二日星５２４から離れた位置にあり、第一日車送り歯５４２も第二日星５２４から離れた位置にあるので、第二日車５２２は回転することはない。この状態で、第一日車送り歯５４２は第二日星５２４に最も近接して回転する。したがって、プログラム車５４０が１ピッチ回転することによって、第二日窓１１０ｇに配置される第二日車５２２の第二日文字５２７は「０」のままである。上記のような日送りの作動によって、第一日車５１２と第二日車５２２が表示する日付を「０１」から「０２」に変更することができる。上記のような日送りの作動は、時針３５６と分針３５２が１２時０分を表示するときに完了するのが好ましい。他の日送りの作動も上述した４つのタイプのいずれかと同様に行われる。
【００６７】
本発明のカレンダ機構付き時計は、上述したような日送りの作動を毎日１回行うことができるので、第一日車５１２によって日付のうちの一の位（すなわち、「０」、「１」、「２」、「３」、「４」、「５」、「６」、「７」、「８」、「９」）を表示し、第二日車５２２によって日付のうちの十の位（すなわち、「０」、「１」、「２」、「３」）を表示することができる。したがって、本発明のカレンダ機構付き時計は、第一日窓１１０ｆと第二日窓１１０ｇから、従来技術のカレンダ機構付き時計と比べて大きい寸法の日文字によって「０１日」から「３１日」を確実に表示することができる。
【００６８】
（１・１０）カレンダ修正機構：
図１および図５を参照すると、カレンダ修正機構は、第一カレンダ修正車５９１と、第二カレンダ修正車５９２と、第三カレンダ修正車５９３と、第四カレンダ修正車５９４と、修正車５９５と、カレンダ修正車押えばね５９７を含む。カレンダ修正車押えばね５９７は、カレンダ修正車押え５９８と一体に形成することができる。巻真１１８を０段目にした状態で、第一カレンダ修正車５９１は、巻真１１８の第一カレンダ修正車案内部１１８ｅに対して回転可能に支持される。すなわち、第一カレンダ修正車５９１と巻真１１８は、互いに同軸になるように配置される。第二カレンダ修正車５９２は、地板１０２に対して回転可能に支持される。
【００６９】
カレンダ修正車押え５９８が、第二カレンダ修正車５９２を地板１０２に対して回転可能に支持する。第三カレンダ修正車５９３は、地板１０２に対して回転可能に支持される。第四カレンダ修正車５９４は、地板１０２に対して、一定の角度だけ揺動しかつ揺動した位置で回転可能なように支持される。第四カレンダ修正車５９４は、地板１０２に設けられた案内穴にそって揺動できるように構成される。カレンダ修正車押えばね５９７は、第四カレンダ修正車５９４を地板１０２に対して弾性力を加えるようになっている。修正車５９５は、地板１０２に対して回転可能に支持される。プログラム車５４０を回転させるための修正ピン５９６が修正車５９５に設けられる。４個の修正ピンを図示しているけれども、修正ピンの数は、１個であってもよいし、複数であってもよい。
【００７０】
図１および図５を参照すると、巻真１１８が１段目にある状態において、第一カレンダ修正車５９１に一体に設けられた修正伝えばねが巻真１１８のキー溝と嵌め合い、巻真１１８の回転に基づいて第一カレンダ修正車５９１が回転するように構成される。この状態で、巻真１１８を第１の方向に回転させると、第一カレンダ修正車５９１の回転に基づいて、第二カレンダ修正車５９２が時計周り方向に回転するように構成される。第二カレンダ修正車５９２の回転に基づいて、第三カレンダ修正車５９３が反時計周り方向に回転する。第三カレンダ修正車５９３の回転に基づいて、第四カレンダ修正車５９４の歯部が、修正車５９５の歯部と噛合う位置まで第四カレンダ修正車５９４は揺動して停止する。その修正位置で、第四カレンダ修正車５９４は時計周り方向に回転し、この回転に基づいて、修正車５９５は反時計周り方向に回転する。修正車５９５が回転すると、修正ピン５９６はプログラム車５４０の修正送り溝５４６に入り、プログラム車５４０を時計回り方向に回転させることができる。
【００７１】
図１９を参照すると、図１９に示す状態は、文字板１１０の１２時方向の位置に第一日窓１１０ｆと第二日窓１１０ｇとの間の中心位置を配置し、第二日窓１１０ｇから第二日車５２２が「２」を表示し、第一日車５１２が「９」を表示して、日付が「２９日」であることを表示している状態である。
【００７２】
図２０を参照すると、巻真１１８を１段目に引き出した状態で、巻真１１８を前記第１の方向に回転させると、プログラム車５４０が時計回り方向に１歯分だけ回転して、第一日車送り歯５４２によって第一日車５１２を反時計回り方向に１歯分だけ回転させることができる。同時に、プログラム車５４０が時計回り方向に回転することによって、第二日車送り歯５４４の第二日車送り爪５４３によって第二日車５２２を反時計回り方向に１歯分だけ回転させることができる。
【００７３】
図２０および図２１を参照すると、巻真１１８を１段目に引き出した状態で、巻真１１８を前記第１の方向に回転させると、プログラム車５４０が時計回り方向に１歯分だけ回転して、プログラム車５４０の第一日車送り歯５４２は、第一日車５１２を反時計周り方向に１歯分だけ回転させる。プログラム車５４０が１ピッチ回転することによって、第一日窓１１０ｆに配置される第一日車５１２の第一日文字５１７は「９」から「０」に変わる。第一日車５１２の１歯分の回転は、第一日車ジャンパ５１４によって規正される。同時に、プログラム車５４０が１ピッチ回転することによって、プログラム車５４０の第二日車送り歯５４４の第二日車送り爪５４３は、第二日車５２２を反時計周り方向に１歯分だけ回転させる。プログラム車５４０が１ピッチ回転することによって、第二日窓１１０ｇに配置される第二日車５２２の第二日文字５２７は「２」から「３」に変わる。第二日車５２２の１歯分の回転は、第二日車ジャンパ５２４によって規正される。上記のような日修正の作動によって、第一日車５１２と第二日車５２２が表示する日付を「２９」から「３０」に変更することができる。
【００７４】
例えば、第二日窓１１０ｇから第二日車５２２が「３」を表示し、第一日車５１２が「１」を表示して、日付が「３１日」であることを表示している状態において、巻真１１８を１段目に引き出した状態で、巻真１１８を前記第１の方向に回転させると、プログラム車５４０が時計回り方向に１歯分だけ回転し、第一日車５１２は回転することはなく、第一日窓１１０ｆに配置される第一日車５１２の第一日文字５１７は「１」のままである。同時に、プログラム車５４０が１ピッチ回転することによって、プログラム車５４０の第二日車送り歯５４４の第二日車送り爪５４３は、第二日車５２２を反時計周り方向に１歯分だけ回転させる。プログラム車５４０が１ピッチ回転することによって、第二日窓１１０ｇに配置される第二日車５２２の第二日文字５２７は「３」から「０」に変わる。第二日車５２２の１歯分の回転は、第二日車ジャンパ５２４によって規正される。上記のような日修正の作動によって、第一日車５１２と第二日車５２２が表示する日付を「３１」から「０１」に変更することができる。他の日付において、第一日車５１２の第一日文字５１７の表示の修正と、第二日車５２２の第二日文字５２７の表示の修正も、上述した内容と同様に行うことができる。
【００７５】
本発明のカレンダ機構付き時計は、毎月「１日」から「３１日」までを表示する構成であるので、月末の日修正を行うのは、２月末、４月末、６月末、９月末、１１月末だけである。したがって、本発明のカレンダ機構付き時計は、月末の日修正を行う頻度は、１年間に５回である。
【００７６】
（２）第２の実施の形態：
次に、本発明のカレンダ機構付き時計の第２の実施の形態を説明する。以下の説明は、本発明のカレンダ機構付き時計の第２の実施形態が本発明のカレンダ機構付き時計の第１の実施形態と異なる点を主に述べる。したがって、以下に記載がない個所は、前述した本発明のカレンダ機構付き時計の第１の実施形態についての説明をここに準用する。本発明のカレンダ機構付き時計の第２の実施の形態はアナログ電子時計である。
【００７７】
図２６を参照すると、ムーブメント６００はアナログ電子時計で構成される。ムーブメント６００は、ムーブメントの基板を構成する地板６０２を含む。文字板（図示せず）がムーブメント６００のガラス側に取付けられる。巻真６１０が、地板６０２に回転可能に組み込まれる。切換装置は、巻真６１０と、おしどり（図示せず）、かんぬき（図示せず）、かんぬき押え（図示せず）とを含む。規正装置は、規正レバー（図示せず）を含む。ムーブメント６００において、時計の動力源を構成する電池６４０が、地板６０２の裏蓋側（表側）に配置される。時計の源振を構成する水晶ユニット６５０が地板６０２の裏蓋側に配置される。水晶振動子が、水晶ユニット６５０に収容されている。水晶振動子の振動に基づいて、ステップモータにモータ駆動信号を出力するモータ駆動部（ドライバ）が、集積回路（ＩＣ）６５４に内蔵される。
【００７８】
水晶ユニット６５０と集積回路６５４とは回路基板６１０に固定される。回路基板６１０と、水晶ユニット６５０と、集積回路６５４とが回路ブロック６１２を構成する。回路ブロック６１２は、地板６０２の裏蓋側に配置される。電池マイナス端子６６０は、電池６４０の陰極と、回路基板６１０のマイナスパターンを導通させるために設けられる。電池プラス端子６６２は、電池６４０の陽極と、回路基板６１０のプラスパターンを導通させるために設けられる。ステップモータを構成するコイルブロック６３０、ステータ６３２、ロータ６３４が、地板６０２の裏蓋側に配置される。
【００７９】
ロータ６３４の回転により、五番車６４１が回転するように構成される。五番車６４１の回転により、四番車６４２が回転するように構成される。四番車６４２の回転により、三番車６４４が回転するように構成される。三番車６４４の回転により、二番車（図示せず）が回転するように構成される。二番車の回転により、日の裏車６４８が回転するように構成される。日の裏車６４８の回転により、筒車（図示せず）が回転するように構成される。時針（図示せず）が筒車に取付けられる。筒車は１２時間に１回転するように構成される。巻真６１０が０段目にあるとき、および、巻真６１０が１段目にあるとき、規正レバーは四番車６４２又は五番車６４１の歯車部を規正しないように構成される。巻真６１０が２段目にあるとき、規正レバーは四番車６４２又は五番車６４１の歯車部を規正するように構成される。
【００８０】
四番車６４２は１分間に１回転するように構成されている。二番車は１時間に１回転するように構成される。スリップ機構が二番車に設けられる。巻真６１０を２段目に引き出して針合わせをするときに、規正レバー（図示せず）は四番車６４２又は五番車６４１の歯車部を規正して秒針の回転を停止させる。中心パイプ（図示せず）が地板６０２に固定される。中心パイプは地板６０２の裏蓋側から地板６０２の文字板側に延びる。表輪列を回転可能に支持する輪列受（図示せず）が、地板６０２の裏蓋側に配置される。
【００８１】
ムーブメント６００の裏側において、筒車の回転によりプログラム回し中間車の回転を介して日送り機構（図示せず）を作動させることができる。本発明のカレンダ機構付き時計の第２の実施形態における日送り機構の構成、作用は、前述した本発明のカレンダ機構付き時計の第１の実施形態における日送り機構の構成、作用と同様である。
【００８２】
本発明のカレンダ機構付き時計の第２の実施の形態において、カレンダ送りの作用、日修正の作用などは、本発明のカレンダ機構付き時計の第１の実施の形態の作用と同様である。すなわち、筒車が回転することにより、プログラム回し中間車５３０の回転を介してプログラム回し車５１０が２４時間で１回転するように構成される。プログラム送り爪５１１は、プログラム回し車５１０の回転に基づいて一体に回転するように構成される。この構成により、カレンダ機構付き時計において、第一日車５１２と第二日車５２２を駆動する駆動機構が占有する面積を小さくすることができる。
【産業上の利用可能性】
【００８３】
本発明のカレンダ機構付き時計は、日付のうちの一の位を表示する第一日車と、日付のうちの十の位を表示する第二日車とを含み、大きい文字の日付を確実に表示することができ、しかも、薄型でデザインの制約は少ないカレンダ機構付き時計を製造することができる。本発明のカレンダ機構付き時計は、月末にカレンダ機構を修正しなければならない回数を増すことがなく、操作性が良い。
【符号の説明】
【００８４】
１００  ムーブメント
１０２  地板
１１０  文字板
１２０  香箱車
１２２  二番車
１２４  三番車
１２６  四番車
２３２  筒車
５１０  プログラム回し車
５１１  プログラム送り爪
５１２  第一日車
５１４  第一日車ジャンパ
５２２  第二日車
５２４  第二日車ジャンパ
５３０  プログラム回し中間車
５３４  プログラム車ジャンパ
５４０  プログラム車
５４２  第一日車送り歯
５４３  第二日車送り爪
５４４  第二日車送り歯
５４６  修正送り溝
【図１】
2011058837.tif 000003
【図２】
2011058837.tif 000004
【図３】
2011058837.tif 000005
【図４】
2011058837.tif 000006
【図５】
2011058837.tif 000007
【図６】
2011058837.tif 000008
【図７】
2011058837.tif 000009
【図８】
2011058837.tif 000010
【図９】
2011058837.tif 000011
【図１０】
2011058837.tif 000012
【図１１】
2011058837.tif 000013
【図１２】
2011058837.tif 000014
【図１３】
2011058837.tif 000015
【図１４】
2011058837.tif 000016
【図１５】
2011058837.tif 000017
【図１６】
2011058837.tif 000018
【図１７】
2011058837.tif 000019
【図１８】
2011058837.tif 000020
【図１９】
2011058837.tif 000021
【図２０】
2011058837.tif 000022
【図２１】
2011058837.tif 000023
【図２２】
2011058837.tif 000024
【図２３】
2011058837.tif 000025
【図２４】
2011058837.tif 000026
【図２５】
2011058837.tif 000027
【図２６】
2011058837.tif 000028